(57)【要約】【課題】除菌浄化装置の機能低下を極力防止できるようにする。【解決手段】本実施形態の洗濯機は、槽内に収容した洗濯物を洗濯する際に使用する水の浄化および除菌をする除菌浄化装置を備える。除菌浄化装置は、共通の紫外線ランプと、この紫外線ランプの延び方向に直列に配置された汚れ浄化部および除菌部を有する構成とするとともに、汚れ浄化部に第１の流入口を、除菌部に第２の流入口および流出口を設けた構成とする。【選択図】図２
2015116296.tif 000002
【特許請求の範囲】
【請求項１】
槽内に収容した洗濯物を洗濯する際に使用する水の浄化および除菌をする除菌浄化装置を備え、
前記除菌浄化装置は、共通の紫外線ランプと、この紫外線ランプの延び方向に直列に配置された汚れ浄化部および除菌部を有する構成とするとともに、前記汚れ浄化部に第１の流入口を、前記除菌部に第２の流入口および流出口を設けた構成としたことを特徴とする洗濯機。
【請求項２】
前記第１の流入口には水源から供給される水が通され、前記第２の流入口には前記槽を通った水が通されることを特徴とする請求項１記載の洗濯機。
【請求項３】
すすぎのうち初回を除くすすぎのとき、前記槽を通った水を前記第１の流入口に流入させることを特徴とする請求項１または２記載の洗濯機。
【請求項４】
前記除菌浄化装置にあって前記汚れ浄化部と前記除菌部との間に位置させて、前記除菌部から前記汚れ浄化部側への水の流れを規制する逆止弁を設けたことを特徴とする請求項１から３のいずれか一項記載の洗濯機。
【請求項５】
前記第１の流入口の上流側に、リントフィルタを有するフィルタユニットを設けたことを特徴とする請求項１から４のいずれか一項記載の洗濯機。
【請求項６】
第１および第２の入口と第１および第２の出口を有する流路切替弁を備え、
前記第１の入口は、水道とは別の水源となる別水源からの水を供給する別水源給水路に接続され、前記第２の入口は、前記槽の水を循環させる循環水路に接続され、前記第１の出口は、前記フィルタユニットを介して前記除菌浄化装置の前記第１の流入口に接続され、前記第２の出口は、バイパス水路を介して前記第２の流入口に接続されていることを特徴とする請求項５記載の洗濯機。
【請求項７】
前記流路切替弁の前記第１の出口と前記フィルタユニットの流入口との間に、前記フィルタユニットより流路抵抗が大きい補助バイパス水路の一端部を接続し、前記補助バイパス水路の他端部を、前記除菌浄化装置の前記第２の流入口に接続したことを特徴とする請求項６記載の洗濯機。
【請求項８】
洗い行程において、前記別水源の水を前記除菌浄化装置を通して前記槽内に給水する給水時は、前記流路切替弁の前記第１の入口と前記第１の出口とを連通させるとともに前記紫外線ランプを点灯し、前記槽内の水を循環ポンプにより前記循環水路を通して循環させる循環運転時は、前記流路切替弁の前記第２の入口と前記第２の出口とを連通させるとともに前記紫外線ランプを消灯させることを特徴とする請求項６または７記載の洗濯機。
【請求項９】
中間すすぎの１回目の行程において、前記槽内の水を循環ポンプにより前記循環水路を通して循環させる循環運転時は、前記流路切替弁の前記第２の入口と前記第２の出口とを連通させるとともに前記紫外線ランプを点灯させることを特徴とする請求項６から８のいずれか一項記載の洗濯機。
【請求項１０】
中間すすぎの２回目以降および最終すすぎの行程において、前記槽内の水を循環ポンプにより前記循環水路を通して循環させる循環運転時は、前記流路切替弁の前記第２の入口と前記第１の出口とを連通させるとともに前記紫外線ランプを点灯させることを特徴とする請求項９記載の洗濯機。
【請求項１１】
前記循環ポンプの出力を検知する出力検知手段を備え、
前記中間すすぎの２回目以降および最終すすぎの行程における前記循環運転時において、前記出力検知手段が前記循環ポンプの出力が所定以上低下したと判断した場合、前記流路切替弁の前記第１の出口を閉鎖して前記第２の入口と前記第２の出口とを連通させるように切り替えることを特徴とする請求項１０記載の洗濯機。
【発明の詳細な説明】
【技術分野】
【０００１】
本発明の実施形態は、洗濯機に関する。
【背景技術】
【０００２】
洗濯機においては、節水などの目的で、水道とは別の水源である例えば風呂の水を洗濯に使用するために、風呂水用ポンプを設け、その風呂水用ポンプにより、風呂の水を汲み上げて風呂水用給水路を通して槽内に供給する構成としたものや、槽の外部に、当該槽の内部と連通する循環水路を設けるとともに、当該循環水路に循環ポンプを設けて、槽内に供給された水を、循環ポンプにより循環水路を通して循環させるようにしたものが知られている。そして、このようなものにおいて、風呂水用給水路や循環水路に浄化装置を設け、その水路を通過する水を浄化するようにしたものも提案されている。浄化装置としては、紫外線やオゾンで雑菌を除菌したり、光触媒を利用して、吸着した有機汚れを分解したりするものなどが提案されている。しかしながら、糸屑や髪の毛などの比較的大きな異物が浄化装置内に混入したり付着したりすると、その異物を容易には分解できず、浄化性能が著しく低下したり、通過できる水量が著しく低下したりし、浄化装置の機能が著しく低下することが懸念される。
【先行技術文献】
【特許文献】
【０００３】
【特許文献１】特開平９−４７５９８号公報
【発明の概要】
【発明が解決しようとする課題】
【０００４】
そこで、水を除菌および浄化する除菌浄化装置を備えたものにおいて、除菌浄化装置の機能低下を極力防止できる洗濯機を提供する。
【課題を解決するための手段】
【０００５】
本実施形態の洗濯機は、槽内に収容した洗濯物を洗濯する際に使用する水の浄化および除菌をする除菌浄化装置を備える。除菌浄化装置は、共通の紫外線ランプと、この紫外線ランプの延び方向に直列に配置された汚れ浄化部および除菌部を有する構成とするとともに、汚れ浄化部に第１の流入口を、除菌部に第２の流入口および流出口を設けた構成とする。
【図面の簡単な説明】
【０００６】
【図１】本実施形態による洗濯機の概略構成図
【図２】除菌浄化装置の断面図
【図３】除菌浄化装置の逆止弁を示す図で、（ａ）は正面図、（ｂ）は縦断側面図
【図４】フィルタユニット部分を示す図で、（ａ）はリントフィルタをフィルタケースに装着した状態の縦断面図、（ｂ）はリントフィルタをフィルタケースから外した状態での縦断面図
【図５】リントフィルタを示す図であり、（ａ）は側面図、（ｂ）は正面図、（ｃ）は概略的斜視図
【図６】流路切替弁の概略構成図を示すもので、（ａ）は第１の状態、（ｂ）は第２の状態、（ｃ）は第３の状態を示す図
【図７】洗濯機の概略的な電気的構成を示すブロック図
【図８】風呂水コースの処理内容を示すフローチャート
【図９】すすぎ２回目以降および最終すすぎにおける循環運転の処理内容を示すフローチャート
【発明を実施するための形態】
【０００７】
以下、本実施形態による洗濯機について図面を参照して説明する。
まず、図１において、洗濯機１は、この場合、縦軸型の全自動洗濯機である。洗濯機１の外殻は、矩形箱状をなす外箱２の上部にトップカバー３を装着して構成されている。外箱２の底部には脚部４が設けられている。トップカバー３の上面の所定部位には、図示はしないが操作パネルが設けられていて、この操作パネルの裏側に、マイクロコンピュータを主体とした制御装置５（図７参照）が設けられている。操作パネルには、図７に示すように、各種の操作スイッチ６ａや表示部６ｂが設けられている。トップカバー３の上面後部には、バックカバー７が設けられている。トップカバー３の上面中央部には、図示はしないが洗濯物出入口が設けられている。
【０００８】
外箱２内には、洗濯物を収容する槽９が設けられている。この槽９は、有底円筒状の水槽１０と、この水槽１０内に回転可能に配設された有底円筒状の回転槽１１とから構成されている。このうち、水槽１０は、図示しない弾性吊持機構により外箱２に弾性的に吊持されている。回転槽１１は、図示はしないが周壁部に脱水用の孔を多数有していて、これの上面開口部が洗濯物出入口に下方から臨んでいる。回転槽１１の上面開口部周縁部にはバランスリング１１ａが設けられている。洗濯物は、洗濯物出入口を通して回転槽１１内に収容される。回転槽１１内の底部には、パルセータ１２が回転可能に設けられている。水槽１０の外底部には、駆動部１３が設けられている。この駆動部１３は、正逆回転が可能なモータ１３ａ（図７参照）およびクラッチを備えていて、パルセータ１２のみを回転させる場合と、回転槽１１とパルセータ１２を一体的に回転させる場合とを切り替え可能な構成となっている。
【０００９】
トップカバー３の後部におけるバックカバー７の下方には、給水弁１５と、注水ケース１６と、別水源用給水ポンプを構成する風呂水ポンプ１７と、除菌浄化装置１８と、フィルタユニット１９などが配設されている。このうち、給水弁１５は、トップカバー３の後部における右側に配置されていて、水道水の流入口となるホース接続口２０と、水道水の流出口となる給水用流出口２１および呼び水用流出口２２を有している。ホース接続口２０は、バックカバー７から上方に露出している。
【００１０】
ホース接続口２０には、図示しない水道の蛇口に接続された機外給水ホースの先端部が接続される。水道は、水道水の水源である。給水用流出口２１には給水管２３の一端部が接続され、その給水管２３の他端部は、注水ケース１６の給水路の流入口に接続されている。呼び水用流出口２２には呼び水用給水管２４の一端部が接続され、その呼び水用給水管２４の他端部は、注水ケース１６の呼び水用給水路の流入口に接続されている。注水ケース１６は、下向きの給水口２５を有していて、その給水口２５の下端部が、回転槽１１の上面開口部に上方から臨んでいる。
【００１１】
給水弁１５は、電磁弁から構成されていて、給水状態と、呼び水給水状態と、給水停止状態とに切り替え可能である。給水状態では、機外給水ホースから供給される水道水を、給水用流出口２１から給水管２３側へ流出させ、その水道水は、注水ケース１６の給水路を通り、給水口２５から槽９内へ供給される。呼び水給水状態では、機外給水ホースから供給される水道水を、呼び水用流出口２２から呼び水用給水管２４側へ流出させる。給水停止状態では、給水用流出口２１および呼び水用流出口２２のどちらにも水道水を流出させない。この場合、給水弁１５と、給水管２３と、注水ケース１６と、給水口２５は、水道水を槽９内へ供給する水道水給水路２６を構成している。
【００１２】
風呂水ポンプ１７は、トップカバー３の後部における左側に配置されていて、風呂水の流入口となるホース接続口２８と、呼び水の流入口となる呼び水用流入口２９と、風呂水の流出口となる風呂水吐出口３０を有している。ホース接続口２８は、バックカバー７から上方へ露出している。風呂水を使用する場合には、ホース接続口２８には図示しない風呂水用ホースの一端部が接続され、その風呂水用ホースの他端部が、図示しない浴槽内の風呂水中に挿入される。浴槽は、水道とは別の水源である別水源となる。呼び水用流入口２９には、呼び水用通水路３１の一端部が接続されている。呼び水用通水路３１の他端部は、前記注水ケース１６における呼び水用給水路の流出口に接続されている。
【００１３】
給水弁１５が呼び水給水状態のときに、呼び水用流出口２２から注水ケース１６の呼び水用給水路に供給された呼び水は、呼び水用通水路３１を通して風呂水ポンプ１７に供給される。呼び水用通水路３１の途中部には逆止弁３２が設けられている。この逆止弁３２は、呼び水が注水ケース１６の呼び水用給水路から風呂水ポンプ１７側へ供給される場合はその呼び水の通過を許容するが、風呂水が風呂水ポンプ１７側から注水ケース１６側へ流れることを遮断するためのものである。
【００１４】
風呂水ポンプ１７の風呂水吐出口３０は、接続管３３を介して流路切替弁３４の第１の入口３５ａに接続されている。接続管３３は、この場合、別水源給水路を構成する。流路切替弁３４は、風呂水ポンプ１７の右側に配置されている。その流路切替弁３４は、図６に示すように、前記第１の入口３５ａと、第２の入口３５ｂと、第１の出口３６ａと、第２の出口３６ｂを有していて、いわゆる四方弁から構成されている。流路切替弁３４の内部には、第１のフラップ３７と第２のフラップ３８が設けられている。第１のフラップ３７は、第１の入口３５ａと第２の入口３５ｂとの間に位置し、軸部３７ａを中心に回動可能に構成されていて、その回動により第１の入口３５ａと第２の入口３５ｂを選択的に開閉する。第２のフラップ３８は、第１の出口３６ａと第２の出口３６ｂとの間に位置し、軸部３８ａを中心に回動可能に構成されていて、その回動により第１の出口３６ａと第２の出口３６ｂを選択的に開閉する。これら第１および第２のフラップ３７，３８は、それぞれ図示しないステッピングモータにより回動される。
【００１５】
この流路切替弁３４は、図６（ａ）に示す第１の状態と、図６（ｂ）に示す第２の状態と、図６（ｃ）に示す第３の状態と、図示しない第４の状態とに切り替え可能な構成となっている。具体的には、第１の状態では、図６（ａ）に示すように、第１のフラップ３７で第２の入口３５ｂを閉鎖するとともに、第２のフラップ３８で第２の出口３６ｂを閉鎖することで、第１の入口３５ａと第１の出口３６ａを連通させる。第２の状態では、図６（ｂ）に示すように、第１のフラップ３７で第１の入口３５ａを閉鎖するとともに、第２のフラップ３８で第２の出口３６ｂを閉鎖することで、第２の入口３５ｂと第１の出口３６ａを連通させる。第３の状態では、図６（ｃ）に示すように、第１のフラップ３７で第１の入口３５ａを閉鎖するとともに、第２のフラップ３８で第１の出口３６ａを閉鎖することで、第２の入口３５ｂと第１の出口３６ａを連通させる。第４の状態では、図示はしないが、第１のフラップ３７で第２の入口３５ｂを閉鎖するとともに、第２のフラップ３８で第１の出口３６ａを閉鎖することで、第１の入口３５ａと第２の出口３６ｂを連通させる。流路切替弁３４の状態の切り替えは、前記制御装置５によって制御される。
【００１６】
流路切替弁３４の第１の出口３６ａは、接続管４０を介してフィルタユニット１９の流入口４１に接続されている。フィルタユニット１９の構成について、図４および図５も参照して説明する。フィルタユニット１９は、トップカバー３の後部において流路切替弁３４の右側に配設されている。このフィルタユニット１９は、図４に示すように、フィルタケース４２とリントフィルタ４３を備えている。フィルタケース４２は、容器状をなしていて、一方の側部（左側部）の下部に横向きの前記流入口４１を有し、この流入口４１と対向する側部（右側部）の下部に横向きの流出口４４を有している。フィルタケース４２の内部の下部には、水案内部４５が設けられている。この水案内部４５は、一端部が流入口４１と連通し、他端部側の上部に、上面が開口したフィルタ接続部４６を有している。フィルタ接続部４６は、この場合、上方から見て矩形状をなしている。フィルタケース４２の上部には、開口部４７を有するフィルタ装着部４８が設けられている。開口部４７は、円形をなしていて、内周部に雌ねじ部４９が設けられている。フィルタ装着部４８の所定部位には、磁気センサ５０が設けられている。
【００１７】
リントフィルタ４３は、複数のろ過面５１と、取手部５２を有している。ろ過面５１は、この場合４面備えている。各ろ過面５１は、図５（ａ）において左右方向に長い長方形状をなしていて、それぞれが枠５３により囲まれている。ろ過面５１はメッシュにより構成されている。４枚のろ過面５１により、矩形筒状に形成されている。取手部５２は、ろ過面５１の長手方向の一端部に設けられている。取手部５２は、雄ねじ部５４を有する径小部５５と、この径小部５５より径大な径大部５６と、径大部５６の外面に設けられた凸状のつまみ部５７とを一体的に有している。径小部５５には、相対的に回転可能な円形の可動ベース５８が設けられていて、この可動ベース５８に、前記４枚のろ過面５１の一端部が取り付けられている。４枚のろ過面５１のうち、一枚のろ過面５１は、基端部である可動ベース５８側を支点として回動により開閉可能な構成となっている（図５（ａ）の二点鎖線参照）。径大部５６の外周部の所定部位には、永久磁石５９が設けられている。
【００１８】
図４に示すように、前記バックカバー７には、フィルタケース４２の上方に対応する部位に位置させて開口部６０が形成されているとともに、この開口部６０を開閉する蓋６１が軸部６１ａを支点にして回動可能に設けられている。ここで、リントフィルタ４３をフィルタケース４２に装着する場合には、次のようにして行う。
【００１９】
まず、図４（ｂ）に示すように、蓋６１を開放した状態で、リントフィルタ４３の取手部５２を手に持ち、ろ過面５１の下端部を、バックカバー７の開口部６０およびフィルタケース４２におけるフィルタ装着部４８の開口部４７に上方から挿入する。そして、ろ過面５１の下端部を、フィルタケース４２内のフィルタ接続部４６に挿入して接続するとともに、取手部５２を回転させて雄ねじ部５４をフィルタ装着部４８の雌ねじ部４９にねじ込む。これにより、リントフィルタ４３をフィルタケース４２に装着することができる。リントフィルタ４３をフィルタケース４２の正規の位置に装着した状態では、図４（ａ）に示すように、取手部５２の径大部５６に設けられた永久磁石５９が、フィルタ装着部４８に設けられた磁気センサ５０に対応するようになる。この結果、磁気センサ５０が永久磁石５９の磁気を検知することにより、リントフィルタ４３が正規の位置に装着されたことを検知することができる。永久磁石５９と磁気センサ５０は、リントフィルタ４３の挿入方向の位置と取手部５２の回転方向の位置を検知する検知手段６２を構成している。
【００２０】
リントフィルタ４３のフィルタケース４２への装着が完了したら、蓋６１を閉めておく。なお、リントフィルタ４３をフィルタケース４２から取り出す場合には、上述の手順と逆に行えばよい。
【００２１】
図１に示すように、フィルタケース４２の流出口４４は、接続管６４を介して除菌浄化装置１８の第１の流入口６５に接続されている。次に除菌浄化装置１８の構成について、図２および図３も参照して説明する。除菌浄化装置１８は、フィルタユニット１９の右側に配設されていて、左右方向に延びる浄化装置ケース６６を備えている。この浄化装置ケース６６は、左側の汚れ浄化部６７と、右側の除菌部６８を備えている。汚れ浄化部６７および除菌部６８はともに円筒状であるが、左側の汚れ浄化部６７が右側の除菌部６８よりも径大とされている。浄化装置ケース６６の内部には、これの長手方向に沿って１本の紫外線ランプ６９が設けられている。紫外線ランプ６９は、保護管により外側から保護されている。浄化装置ケース６６の左側の汚れ浄化部６７の左側部に前記第１の流入口６５が横向き設けられている。
【００２２】
汚れ浄化部６７における第１の流入口６５側には仕切部７０が設けられていて、この仕切部７０により流入口側空間部７１が形成されている。仕切部７０には、複数の孔部７２が形成されている。この場合、第１の流入口６５から流入口側空間部７１内へ流入する水は、仕切部７０の手前で広がり、孔部７２を通して汚れ浄化部６７内へ流入するようになる。浄化装置ケース６６における除菌部６８には、汚れ浄化部６７寄りに位置させて第２の流入口７３が下向きに設けられている。そして、浄化装置ケース６６における除菌部６８の右上部に、流出口７４が上向きに設けられている。
【００２３】
第１の流入口６５から浄化装置ケース６６内に水が流入すると、その水は矢印方向に流れる。したがって、浄化装置ケース６６は通水方向に長く、紫外線ランプ６９は通水方向に沿って延びている。また、汚れ浄化部６７と除菌部６８は１本の共通の紫外線ランプ６９の延び方向に直列に配置された形態となっている。
【００２４】
汚れ浄化部６７の内部には、フィルタ状の光触媒７５が設けられている。このフィルタ状の光触媒７５は、この場合多孔質状のセラミックに光触媒を担持させた構成のもので、ドーナツ状をなしていて、その中心部に紫外線ランプ６９が貫通している。浄化装置ケース６６における汚れ浄化部６７および除菌部６８の内面には、紫外線を反射する反射体７６が設けられている。
【００２５】
浄化装置ケース６６の内部において、汚れ浄化部６７と除菌部６８との間である境界部分に逆止弁７７が設けられている。この逆止弁７７は、図３に示すように、円板状をなしていて、外周部が浄化装置ケース６６に固定されている。この逆止弁７７には、中心部に紫外線ランプ６９が貫通する孔部７８が形成されているとともに、その孔部７８から放射状に複数本のスリット７９が形成されていて、各スリット７９間に舌片状の可撓片８０が形成されている。浄化装置ケース６６における汚れ浄化部６７側には、通水孔８１ａを有する逆止弁受け部８１が設けられている。逆止弁７７は、弾性変形可能な弾性材、例えばゴムにより形成されていて、通常は通水孔８１ａを閉鎖している。
【００２６】
この場合、浄化装置ケース６６内を水が汚れ浄化部６７から除菌部６８側へ流れる際には、逆止弁７７の各可撓片８０が除菌部６８側に弾性変形して、その水が通水孔８１ａを通して矢印方向へ流れることを許容するが、除菌部６８側から汚れ浄化部６７側へ水が流れようとしても、各可撓片８０が逆止弁受け部８１に受けられて汚れ浄化部６７側へ弾性変形できないため、通水孔８１ａは各可撓片８０により閉鎖され、除菌部６８側から汚れ浄化部６７側への水の流れは規制される。
【００２７】
ここで、風呂水などの水が、第１の流入口６５から浄化装置ケース６６の汚れ浄化部６７内に流入すると、その水に含まれた有機成分などの汚れ成分がフィルタ状の光触媒７５に吸着される。このとき、紫外線ランプ６９が点灯されて紫外線が光触媒７５に照射されると、光触媒７５が活性化され、その吸着された汚れ成分を分解するようになる。また、汚れ浄化部６７内に流入した水に紫外線ランプ６９の紫外線が直接照射されることに伴い、その水に含まれた雑菌などが紫外線により除菌されるようにもなる。そして、光触媒７５にて浄化された水は、除菌部６８内を通る過程で、紫外線ランプ６９の紫外線の照射により一層除菌されるようになる。したがって、風呂水などの水は、その除菌浄化装置１８を通過することで浄化および除菌され、流出口７４から流出することになる。除菌浄化装置１８の流出口７４は、接続管８２を介して前記注水ケース１６の給水路に接続されている。
【００２８】
図１において、外箱２内の下部には循環ポンプ８３配設されている。この循環ポンプ８３の吸入口８４は、排水フィルタユニット８５におけるフィルタケース８６の循環用流出口８７に接続されている。循環ポンプ８３の吐出口８８は、上方に延びる循環水路８９を介して前記流路切替弁３４の第２の入口３５ｂに接続されている。排水フィルタユニット８５は、フィルタケース８６と、このフィルタケース８６に対して着脱可能に装着される排水フィルタ９０を備えている。この排水フィルタ９０の目は比較的粗く形成されていて、前記リントフィルタ４３におけるろ過面５１の目は、その排水フィルタ９０の目よりも細かく形成されている。
【００２９】
フィルタケース８６は、前記循環用流出口８７と、排水用流出口９１と、流入口９２を有している。流入口９２は、接続管９３を介して前記水槽１０の排水口９４に接続されている。排水用流出口９１は、排水弁９５を介して排水管９６に接続されている。ここで、排水弁９５が開放されると、水槽１０内に貯留されていた水は、排水口９４、接続管９３、排水フィルタユニット８５のフィルタケース８６、排水用流出口９１、排水弁９５、排水管９６を通って機外へ排出される。このとき、水に含まれていたリントなどの比較的大きな異物は、排水フィルタ９０にて捕獲される。したがって、排水口９４、接続管９３、排水フィルタユニット８５のフィルタケース８６、排水用流出口９１、排水弁９５、排水管９６は、槽９内の水を機外へ排出する排水路９７を構成している。
【００３０】
前記流路切替弁３４における第２の出口３６ｂには、バイパス水路１００の一端部の入口が接続されている。このバイパス水路１００の他端部の出口は、前記除菌浄化装置１８における前記第２の流入口７３に接続されている。バイパス水路１００の中間部には逆止弁１０１が設けられている。この逆止弁１０１は、第２の流入口７３側から第２の出口３６ｂ側へ水が流れることを規制する。
【００３１】
流路切替弁３４における第１の出口３６ａとフィルタユニット１９における流入口４１との間を接続する接続管４０には、流入口４１寄りに位置させて補助バイパス水路１０２の一端部が接続されている。この補助バイパス水路１０２の他端部は、バイパス水路１００を介して除菌浄化装置１８の第２の流入口７３に接続されている。この補助バイパス水路１０２は、フィルタユニット１９より流路抵抗が大きく設定されている。具体的には、補助バイパス水路１０２の開口断面積は、フィルタユニット１９の流入口４１の開口面積より小さく設定されている。接続管４０を流れる水は、フィルタユニット１９側へは流れ易いが、補助バイパス水路１０２側はそれより流れ難くなっている。したがって、接続管４０を流れる水は、通常はフィルタユニット１９側を流れるが、仮にフィルタユニット１９が詰まって水が流れなくなった場合に、フィルタユニット１９を迂回して補助バイパス水路１０２を流れるようになる。
【００３２】
前記制御装置５は、図７に示すように、操作パネルの操作スイッチ６ａ、水位センサ１０３、電流センサ１０４、磁気センサ５０などの各種センサと電気的に接続されている。水位センサ１０３は、槽９内の水位を検出する。電流センサ１０４は、この場合循環ポンプ８３に流れる電流を検出するもので、循環ポンプ８３の出力が低下したか否かを検出するために用いられる。制御装置５は、操作スイッチ６ａの操作と、予め備えた制御プログラムに基づき、駆動部１３のモータ１３ａ、給水弁１５、風呂水ポンプ１７、除菌浄化装置１８の紫外線ランプ６９、流路切替弁３４、循環ポンプ８３、排水弁９５などを制御することで、洗濯運転を行う。制御装置５は、洗濯運転などを制御する制御手段として機能し、また、前記電流センサ１０４とともに循環ポンプ８３の出力を検知する出力検知手段としても機能する。
【００３３】
この場合、洗濯運転のコースとしては、水道水を使用する水道水コースと、風呂水を使用する風呂水コースとがある。水道水コースおよび風呂水コースでは、どちらも、例えば洗い行程と、すすぎ行程と、最終脱水行程を順に行う。すすぎ行程は、通常２回あるいは３回ある。洗い行程とすすぎ行程との間、すすぎ行程とすすぎ行程との間には中間脱水行程があり、最後のすすぎ行程の後に最終脱水行程が行われる。
【００３４】
ここでは、まず、風呂水コースで洗濯運転を行う場合について、図８および図９も参照して説明する。風呂水コースで洗濯運転を行う場合、使用者は、予め回転槽１１内に洗濯物および洗剤を投入しておく。また、風呂水用ホースの一端部をホース接続口２８に接続するとともに、他端部を浴槽内の風呂水中に挿入しておく。
【００３５】
図８に示すように、制御装置５は、風呂水コースを開始すると、まず、流路切替弁３４を、第１の入口３５ａと第１の出口３６ａが連通する第１の状態（図６（ａ）参照）に切り替え（ステップＳ１）、除菌浄化装置１８の紫外線ランプ６９を点灯させる（ステップＳ２）。この後、風呂水ポンプ１７による給水を開始する（ステップＳ３）。このとき、風呂水ポンプ１７を駆動する前に、給水弁１５を呼び水給水状態にし、機外給水ホースから供給される水道水を、呼び水用流出口２２から呼び水用給水管２４、注水ケース１６の呼び水用給水路、呼び水用通水路３１を介して風呂水ポンプ１７に供給する。そして、風呂水ポンプ１７を駆動する。
【００３６】
すると、風呂水が風呂水用ホースを介して風呂水ポンプ１７に汲み上げられ、その風呂水は、風呂水吐出口３０から接続管３３側へ吐出される。接続管３３側へ吐出された風呂水は、第１の状態にある流路切替弁３４の第１の入口３５ａから第１の出口３６ａを通り、接続管４０を介してフィルタユニット１９の流入口４１からフィルタケース４２内に流入する。フィルタケース４２内に流入した風呂水は、図４（ａ）の矢印で示すように、水案内部４５を通り、フィルタ接続部４６に位置するリントフィルタ４３の４面のろ過面５１の下端開口部から筒状をなす４面のろ過面５１の内部に入り、各ろ過面５１を内から外に向けて通過する。この際に、水に含まれた髪の毛などの異物がろ過面５１にて捕獲される。ろ過面５１を通過した水は、流出口４４から除菌浄化装置１８側へ流出する。
【００３７】
なお、接続管４０には補助バイパス水路１０２の一端部が接続されているが、前述したように、この補助バイパス水路１０２は、フィルタユニット１９に比べて流路抵抗が大きく設定されているため、通常は接続管４０を流れる水は、補助バイパス水路１０２側には流れず、専らフィルタユニット１９側を流れることになる。
【００３８】
流出口４４から除菌浄化装置１８側へ流出した風呂水は、第１の流入口６５から浄化装置ケース６６の汚れ浄化部６７内に流入する。汚れ浄化部６７内に流入した風呂水に含まれた有機成分などの汚れ成分がフィルタ状の光触媒７５に吸着される。このとき、紫外線ランプ６９が点灯されて紫外線が光触媒７５に照射されることで、光触媒７５が活性化され、その吸着された汚れ成分が分解されるようになる。また、汚れ浄化部６７内に流入した水に紫外線ランプ６９の紫外線が直接照射されることに伴い、その水に含まれた雑菌などが紫外線により除菌されるようにもなる。そして、汚れ浄化部６７で浄化された風呂水は、逆止弁７７を通過して除菌部６８内に流入し、ここを通る過程で、紫外線ランプ６９の紫外線の照射により一層除菌されるようになる。
【００３９】
このように除菌浄化装置１８で除菌および浄化された風呂水は、流出口７４から接続管８２、注水ケース１６、および給水口２５を通して槽９内へ供給されるようになる。このとき、排水弁９５は閉鎖されており、槽９内へ供給された風呂水は当該槽９内に貯留される。槽９内への給水は、設定水位に達するまで行われる（ステップＳ４）。槽９内の水位は水位センサ１０３にて検出される。水位センサ１０３による検出水位が設定水位に達すると、制御装置５は、風呂水ポンプ１７の駆動を停止して給水を停止させ（ステップＳ５）、また、駆動部１３のモータ１３ａによりパルセータ１２を回転させて撹拌を開始させる（ステップＳ６）。パルセータ１２を回転させることで、槽９内の洗濯物が水とともに撹拌される。
【００４０】
次に、制御装置５は、現在の行程が洗い行程か、１回目のすすぎ行程か、２回目以降のすすぎ行程または最終すすぎ行程かを判定する（ステップＳ７）。ここで、洗い行程であると判定した場合には、ステップＳ８へ移行し、除菌浄化装置１８の紫外線ランプ６９をオフさせる。この後、流路切替弁３４を、第２の入口３５ｂと第２の出口３６ｂが連通する第３の状態（図６（ｃ）参照）に切り替え（ステップＳ９）、循環ポンプ８３を駆動させる（ステップＳ１０）。
【００４１】
すると、槽９内の水が、排水口９４、排水フィルタユニット８５のフィルタケース８６、循環用流出口８７を通り、吸入口８４から循環ポンプ８３内に吸入され、吐出口８８から循環水路８９へ吐出される。循環水路８９へ吐出された水は、循環水路８９を上昇し、第３の状態にある流路切替弁３４の第２の入口３５ｂ、第２の出口３６ｂ、バイパス水路１００を通り、除菌浄化装置１８の第２の流入口７３から除菌部６８内に流入する。除菌部６８内に流入した水は、除菌部６８内を通過した後、流出口７４から接続管８２、注水ケース１６、および給水口２５を通して槽９内へ戻されるようになる。このようにして、槽９内の水が、循環ポンプ８３により循環水路８９を通して循環される。
【００４２】
この循環運転時には、循環水路８９を通る水はバイパス水路１００を通るため、フィルタユニット１９および除菌浄化装置１８の汚れ浄化部６７は通らない。また、この循環運転時には、循環水は除菌浄化装置１８の除菌部６８内を通過するが、紫外線ランプ６９はオフされている。このため、除菌部６８内を通過する水に含まれる洗剤分に対する紫外線の照射はなく、紫外線による界面活性剤の構造破壊を防止できる。また、この循環運転時において、排水フィルタユニット８５のフィルタケース８６内を通過する水に含まれたリントなどの比較的大きな異物は排水フィルタ９０にて捕獲されるので、比較的大きな異物が循環ポンプ８３側に侵入することが規制される。
【００４３】
制御装置５は、予め設定された設定時間が経過するまで、パルセータ１２による撹拌および循環ポンプ８３による循環運転を行い（ステップＳ１１）、設定時間が経過したら、循環ポンプ８３の運転を停止させるとともに、パルセータ１２による撹拌を停止させる（ステップＳ１２）。この後、排水弁９５を開放させて排水を行う（ステップＳ１３）。これにより、槽９内の水は排水路９７を通して機外へ排出される。排水後、制御装置５は、中間脱水を行う（ステップＳ１４）。中間脱水では、モータ１３ａにより回転槽１１およびパルセータ１２を一方向に高速回転させる。これにより、回転槽１１内の洗濯物は遠心脱水される。
【００４４】
制御装置５は、中間脱水が終了したら、排水弁９５を閉鎖した後、ステップＳ１へ戻り、流路切替弁３４を第１の状態に切り替え（ステップＳ１）、除菌浄化装置１８の紫外線ランプ６９を点灯させた状態で（ステップＳ２）、再度風呂水ポンプ１７を駆動して風呂水を槽９内へ設定水位まで給水し（ステップＳ３〜Ｓ５）、撹拌を開始する（ステップＳ６）。
【００４５】
この後、制御装置５は、ステップＳ７で、現在の行程が何であるかを判定し、１回目のすすぎであると判定した場合には、ステップＳ１５へ移行し、紫外線ランプ６９は点灯させたままの状態で、流路切替弁３４を、第２の入口３５ｂと第２の出口３６ｂが連通する第３の状態に切り替え、循環ポンプ８３を駆動させ（ステップＳ１６）、循環運転を実施する。この循環運転では、前述したように、循環ポンプ８３により循環水路８９へ吐出された水は、流路切替弁３４からバイパス水路１００を通り、除菌浄化装置１８の第２の流入口７３から除菌部６８内に流入した後、流出口７４から接続管８２、注水ケース１６、および給水口２５を通して槽９内へ戻されるようにして循環されるようになる。
【００４６】
このとき、紫外線ランプ６９は点灯されているから、除菌部６８内を通過する水に含まれた雑菌などは除菌される。この場合、除菌部６８内を通過する水には、残った洗剤分も少しは残っているが、すすぎの行程であるため、洗剤分の界面活性剤などが紫外線で構造破壊されても問題はない。
【００４７】
制御装置５は、予め設定された設定時間が経過するまで、パルセータ１２による撹拌および循環ポンプ８３による循環運転を行い（ステップＳ１７）、設定時間が経過したら、循環ポンプ８３の運転を停止させるとともに、パルセータ１２による撹拌を停止させる（ステップＳ１８）。この後、ステップＳ１３へ移行し、排水と中間脱水を行う。
【００４８】
制御装置５は、中間脱水が終了したら、排水弁９５を閉鎖した後、ステップＳ１へ戻り、流路切替弁３４を、第１の状態に切り替え（ステップＳ１）、除菌浄化装置１８の紫外線ランプ６９を点灯させた状態で（ステップＳ２）、風呂水ポンプ１７を駆動して風呂水を槽９内へ設定水位まで給水し（ステップＳ３〜Ｓ５）、撹拌を開始する（ステップＳ６）。
【００４９】
この後、制御装置５は、ステップＳ７で、現在の行程が何であるかを判定し、２回目のすすぎまたは最終脱水行程であると判定した場合には、ステップＳ１９へ移行し、紫外線ランプ６９は点灯させたままの状態で、流路切替弁３４を、第２の入口３５ａと第１の出口３６ａが連通する第２の状態（図６（ｂ）参照）に切り替え、この後、ステップＳ２０の循環運転を実施する。この循環運転については、図９を参照して説明する。
【００５０】
制御装置５は、まず、ステップＳ３１で循環ポンプ８３を駆動させる。この循環運転では、循環ポンプ８３により循環水路８９へ吐出された水は、流路切替弁３４の第２の入口３５ｂ、第１の出口３６ａ、接続管４０を通り、風呂水の給水時と同様に、フィルタユニット１９のフィルタケース４２、除菌浄化装置１８における浄化装置ケース６６の汚れ浄化部６７および除菌部６８を順に通り、流出口７４から接続管８２、注水ケース１６、および給水口２５を通して槽９内へ戻される。このとき、循環水路８９を通して循環する水は、フィルタユニット１９を通過することで、その水に含まれたリントなどの異物がリントフィルタ４３にて捕獲され、また、除菌浄化装置１８の汚れ浄化部６７を通過することで、その水に含まれた有機成分などの汚れ成分がフィルタ状の光触媒７５に吸着され、さらに除菌部６８を通過することで除菌される。
【００５１】
制御装置５は、循環ポンプ８３の駆動を開始した後、設定時間が経過するまで、循環ポンプ８３の出力が所定以上低下したか否かを判断する（ステップＳ３２，Ｓ３３）。循環ポンプ８３の出力が所定以上低下したか否かは、循環ポンプ８３に流れる電流を検知する電流センサ１０４の検出信号にて判断する。
【００５２】
循環ポンプ８３の駆動時において、例えばフィルタユニット１９のリントフィルタ４３が捕獲した異物で詰まり、フィルタケース４２内を流れる水が極端に流れ難くなると、循環ポンプ８３の出力が極端に低下する。循環ポンプ８３の出力が低下すると、インピーダンス値が下がり、循環ポンプ８３に流れる電流が上がる。したがって、制御装置５は、循環ポンプ８３に流れる電流が設定値よりも大きくなったら、循環ポンプ８３の出力が低下したと判断する。制御装置５と電流センサ１０４は、循環ポンプ８３の出力を検知する出力検知手段を構成している。
【００５３】
制御装置５は、循環ポンプ８３の出力が所定以上低下することなく、設定時間が経過したら、ステップＳ３４へ移行し、循環ポンプ８３の運転を停止させるとともに、パルセータ１２による撹拌を停止させ、メインルーチンへ戻る。
【００５４】
制御装置５は、上記設定時間が経過するまでに、循環ポンプ８３の出力が所定以上低下したと判断したら、ステップＳ３２で「ＹＥＳ」に従ってステップＳ３５へ移行し、流路切替弁３４を第３の状態に切り替える。これにより、循環水路８９を通る水は、流路切替弁３４から、フィルタユニット１９と除菌浄化装置１８の汚れ浄化部６７を迂回して、バイパス水路１００を通り、除菌部６８側へ流れるようになる。このとき、紫外線ランプ６９は点灯している。
【００５５】
そして、設定時間が経過するまで、再度、循環ポンプ８３の出力が所定以上低下したか否かを判断する（ステップＳ３５，Ｓ３６）。循環ポンプ８３の出力が所定以上低下することなく、設定時間が経過したら、ステップＳ３４へ移行する。設定時間が経過するまでに、循環ポンプ８３の出力が所定以上低下していると判断した場合には、ステップＳ３６で「ＹＥＳ」に従ってステップＳ３８へ移行し、循環ポンプ８３の運転を停止させ、パルセータ１２による撹拌は継続する。
【００５６】
制御装置５は、循環ポンプ８３の運転を停止したら、水位センサ１０３により、槽９内の水位を検出し、水不足であるか否かを判断する（ステップＳ３９）。水不足でなければ、ステップＳ４０へ移行し、設定時間までパルセータ１２による撹拌を継続する。設定時間が経過したらパルセータ１２による撹拌を停止し（ステップＳ４１）、メインルーチンへ戻る。
【００５７】
ステップＳ３９において水不足であると判断した場合には、ステップＳ４２へ移行し、水道水による給水を行う。水道水の給水は、給水弁１５を給水状態とすることで、水道水を槽９内へ供給する。所定水位まで給水したら、給水を停止し（ステップＳ４３、Ｓ４４）、ステップＳ３９へ戻る。
【００５８】
制御装置５は、図９の循環運転が終了したら、図８のステップＳ２１へ戻り、現在の行程が２回目以降のすすぎか、最終すすぎかを判定する。２回目以降のすすぎと判定した場合には、ステップＳ１３へ移行する。最終すすぎと判定した場合には、ステップＳ２２へ移行し、排水弁９５を開放して排水を行い、この後、最終脱水を行う（ステップＳ２３）。最終脱水も、中間脱水と同様に、回転槽１１およびパルセータ１２を一方向へ高速回転させることで洗濯物を遠心脱水する。最終脱水が終了したら、洗濯運転を終了する。
【００５９】
一方、水道水コースは、上記した風呂水コースとは次の点が異なっている。すなわち、槽９内へ給水する際の水源が風呂水ではなく、水道水であるので、風呂水ポンプ１７は使用せず、代わりに給水弁１５を用いる。また、水道水は、通常殺菌されているとともに、汚れ成分もほとんど含まれていないので、水道水の給水時には、除菌浄化装置１８は通さない。ただし、水道水コースにおいても、槽９内の水を循環ポンプ８３により循環させる循環運転の場合には、上記した風呂水コースの循環運転と同様に制御する。
【００６０】
上記した実施形態によれば、次のような作用効果を得ることができる。
槽９内に収容した洗濯物を洗濯する際に使用する水の浄化および除菌をする除菌浄化装置１８を備え、除菌浄化装置１８は、一本の紫外線ランプ６９と、この紫外線ランプ６９の延び方向に直列に配置された汚れ浄化部６７および除菌部６８を有する構成とするとともに、汚れ浄化部６７に第１の流入口６５を、除菌部６８に第２の流入口７３および流出口７４を設けた構成とした。除菌浄化装置１８において、汚れ浄化部６７は除菌部６８に比べて流路抵抗が高く詰まりが発生しやすいという事情がある。そこで、上記した構成とすることで、固形汚れが多く含まれる水や、洗剤成分が多く含まれる洗濯水を、汚れ浄化部６７を避けて、第２の流入口７３から、流路抵抗が小さく詰まりが発生し難い除菌部６８に流すようにすることが可能になる。これにより、汚れ浄化部６７に詰まりが発生することを極力防止できるようになり、除菌浄化装置１８の機能低下を極力防止できるようになる。
【００６１】
除菌浄化装置１８において、第１の流入口６５には、主に水源、この場合水道とは別の別水源となる浴槽から供給される風呂水が通され、第２の流入口７３には、主に槽９を通った循環水が通される。除菌および浄化したい風呂水は、第１の流入口６５から汚れ浄化部６７および除菌部６８を順に通すことで、除菌および浄化することができる。槽９を通った循環水は、詰まりが発生しやすい汚れ浄化部６７を避けて、詰まりが発生し難く流路抵抗が小さい除菌部６８へ直接流すことで、汚れ浄化部６７に詰まりが発生することを極力防止できるようになる。
【００６２】
すすぎのうち初回を除くすすぎのとき、槽９を通った水である循環水を第１の流入口６５に流入させる。１回目のすすぎでは、循環水に洗剤分がまだ多く残っていることがあるが、２回目以降のすすぎでは、循環水に含まれる洗剤分は少なくなっているので、その水を、第１の流入口６５から汚れ浄化部６７に流しても詰まりは発生し難い。
【００６３】
除菌浄化装置１８にあって汚れ浄化部６７と除菌部６８との間に位置させて、除菌部６８から汚れ浄化部６７側への水の流れを規制する逆止弁７７を設けた。これによれば、第２の流入口７３から除菌部６８へ流入した水が汚れ浄化部６７側へ流入することを逆止弁７７により防止することができる。
【００６４】
第１の流入口６５の上流側に、リントフィルタ４３を有するフィルタユニット１９を設けた。これによれば、風呂水に含まれた髪の毛や固形汚れ、あるいは洗濯水中のリント（糸屑）などの異物をリントフィルタ４３にて捕獲することで、それらがそのまま除菌浄化装置１８の汚れ浄化部６７へ浸入することを防止できる。これにより、汚れ浄化部６７に詰まりが発生することを一層防止できる。
【００６５】
第１および第２の入口３５ａ，３５ｂと第１および第２の出口３６ａ，３６ｂを有する流路切替弁３４を備え、第１の入口３５ａは、水道とは別の水源となる風呂水を供給する別水源給水路を構成する接続管３３に接続され、第２の入口３５ｂは、槽９の水を循環させる循環水路８９に接続され、第１の出口３６ａは、フィルタユニット１９を介して除菌浄化装置１８の第１の流入口６５に接続され、第２の出口３６ｂは、バイパス水路１００を介して除菌浄化装置１８の第２の流入口７３に接続されている。この構成によれば、例えばフィルタユニット１９や除菌浄化装置１８の汚れ浄化部６７に詰まりが発生したり、詰まりを発生させたくない場合には、流路切替弁３４を通る水を、バイパス水路１００を通して除菌浄化装置１８の第２の流入口７３へ流すように切り替えることで、フィルタユニット１９および汚れ浄化部６７を迂回させて流すことが可能となる。
【００６６】
流路切替弁３４の第１の出口３６ａとフィルタユニット１９の流入口４１との間に、フィルタユニット１９より流路抵抗が大きい補助バイパス水路１０２の一端部を接続し、補助バイパス水路１０２の他端部を、除菌浄化装置１８の第２の流入口７３に接続した。この構成によれば、例えばフィルタユニット１９のリントフィルタ４３に目詰まりが発生して水がフィルタユニット１９を流れることができなくなった場合、水は、補助バイパス水路１０２を通して除菌浄化装置１８の第２の流入口７３から除菌部６８側に流れるようになるこことで、フィルタユニット１９を迂回することが可能となる。これにより、フィルタユニット１９に詰まりが発生しても、安全性を確保することが可能となる。
【００６７】
風呂水コースの洗い行程においては、風呂水を除菌浄化装置１８を通して槽９内に給水する給水時は、流路切替弁３４の第１の入口３５ａと第１の出口３６ａとを連通させるとともに紫外線ランプ６９を点灯させるようにした。これにより、除菌浄化装置１８の汚れ浄化部６７および除菌部６８により浄化および除菌した風呂水を槽９内へ供給できる。
【００６８】
また、風呂水コースおよび水道水コースの洗い行程において、槽９内の水を循環ポンプ８３により循環水路８９を通して循環させる循環運転時は、流路切替弁３４の第２の入口３５ｂと第２の出口３６ｂとを連通させるとともに紫外線ランプ６９を消灯させるようにした。洗い行程での循環運転時は、通常、洗濯水に洗浄性能を上げるための洗剤成分が含まれており、この洗剤成分に紫外線が照射されると、洗剤成分の分子構造が破壊されるおそれがある。この点、本実施形態においては、洗い行程における循環運転時は紫外線ランプ６９を消灯させているので、洗濯水の洗剤成分が紫外線によって構造破壊されるということを防止できる。
【００６９】
風呂水コースおよび水道水コースの中間すすぎの１回目の行程において、槽９内の水を循環ポンプ８３により循環水路８９を通して循環させる循環運転時は、流路切替弁３４の第２の入口３５ｂと第２の出口３６ｂとを連通させるとともに紫外線ランプ６９を点灯させるようにした。中間すすぎの１回目の行程では、循環水に洗剤成分がまだ多く含まれていることが多く、この循環水が、除菌浄化装置１８の汚れ浄化部６７を通過すると、汚れ浄化部６７の浄化部品となる多孔質状の光触媒７５を劣化させるおそれがある。この点、本実施形態によれば、循環水を、バイパス水路１００を通して除菌部６８へ流すことで、汚れ浄化部６７を迂回させることができるので、汚れ浄化部６７の浄化部品が劣化することを極力防止できる。また、循環水を、除菌部６８を通すことで紫外線ランプ６９による除菌を行うことができる。
【００７０】
風呂水コースおよび水道水コースの中間すすぎの２回目以降および最終すすぎの行程において、槽９内の水を循環ポンプ８３により循環水路８９を通して循環させる循環運転時は、流路切替弁３４の第２の入口３５ａと第１の出口３６ａとを連通させるとともに紫外線ランプ６９を点灯させるようにした。中間すすぎ２回目以降は、循環水に含まれる洗剤成分は少なくなっている。この循環水を、除菌浄化装置１８の汚れ浄化部６７および除菌部６８を通し、汚れ浄化と除菌を行うことで、洗濯後の洗濯物の清潔性を向上させることが可能となる。
【００７１】
風呂水コースおよび水道水コースの中間すすぎの２回目以降および最終すすぎの行程における前記循環運転時において、出力検知手段を構成する制御装置５が循環ポンプ８３の出力が所定以上低下したと判断した場合、流路切替弁３４の第１の出口３６ａを閉鎖して第２の入口３５ａと第２の出口３６ｂとを連通させるように切り替えるようにした。循環運転時において循環ポンプ８３の出力が低下する原因の一つに、フィルタユニット１９の目詰まりが考えられる。そこで、循環ポンプ８３の出力が低下したと判断した場合、循環水をバイパス水路１００を通してフィルタユニット１９を迂回させることで、循環ポンプ８３の負荷を低減させることが可能となる。
【００７２】
なお、フィルタユニット１９を迂回させても、循環ポンプ８３の出力の低下が続く場合は、循環ポンプ８３が破損するおそれがある。このような場合には、循環ポンプ８３の運転を停止させ、撹拌は継続することで、すすぎを行う。
【００７３】
（その他の実施形態）
除菌浄化装置１８の第１の流入口６５に供給される水源の水としては、水道とは別の水源である浴槽の風呂水に限られず、雨水や水道水でもよい。
【００７４】
除菌浄化装置１８における汚れ浄化部６７の汚れ浄化部材としては、汚れを浄化できるものであれば、光触媒７５以外であってもよい。
洗濯機としては、槽９の軸方向が上下方向を向いた縦軸型の洗濯機に限られず、水槽および回転背の軸方向が横向きのドラム式洗濯機にも適用できる。
【００７５】
以上説明したように本実施形態の洗濯機によれば、固形汚れが多く含まれる水や、洗剤成分が多く含まれる洗濯水を、汚れ浄化部を避けて、第２の流入口から、流路抵抗が小さく詰まりが発生し難い除菌部に流すようにすることが可能になる。これにより、汚れ浄化部に詰まりが発生することを極力防止できるようになり、除菌浄化装置の機能低下を極力防止できるようになる。
【符号の説明】
【００７６】
図面中、１は洗濯機、５は制御装置（制御手段、出力検知手段）、９は槽、１５は給水弁、１７は風呂水ポンプ、１８は除菌浄化装置、１９はフィルタユニット、３３は接続管（別水源給水路）、３４は流路切替弁、３５ａは第１の入口、３５ｂは第２の入口、３６ａは第１の出口、３６ｂは第２の出口、４３はリントフィルタ、６５は第１の流入口、６６は浄化装置ケース、６７は汚れ浄化部、６８は除菌部、６９は紫外線ランプ、７３は第２の流入口、７４は流出口、７５は光触媒、７７は逆止弁、８３は循環ポンプ、８５は排水フィルタユニット、８９は循環水路、１００はバイパス水路、１０２は補助バイパス水路、１０４は電流センサ（出力検知手段）を示す。
【図１】
2015116296.tif 000003
【図２】
2015116296.tif 000004
【図３】
2015116296.tif 000005
【図４】
2015116296.tif 000006
【図５】
2015116296.tif 000007
【図６】
2015116296.tif 000008
【図７】
2015116296.tif 000009
【図８】
2015116296.tif 000010
【図９】
2015116296.tif 000011